(57)【要約】【課題】壁側に階段の傾斜と平行に併装の自立搭乗昇降装置において、レール上ローラ間の各種挟み込みトラブル回避とサイレント安全昇降を行える自動昇降ステップシステムを提供する。【解決手段】本発明の自動昇降ステップシステムは、レール外側面遮蔽と牽引チェイン切断検知と同期安全静止カムブレーキの機能適正に、溝形レールの横倒し２列レールを構成し、２列レール左右ローラのレール面上、空白の左右片効きブレーキ回避には、ブレーキカム装備中空の軸内に同心装備するローラ軸センターの軸心スイング形式が、レール上空白防止は自立搭乗のハンドサポータと共に、安全昇降の重要な機能管理要素である。常時レールと左右ローラ間空間排除の合理化に、カム軸と同心構成ローラ軸センターの軸心スイング形式装備により、常時２列レール上ローラ面支持は安全サイレント昇降に、自立搭乗面のハンドサポータと共に重要な機能構成である。【選択図】図３２
2011057369.tif 000002
【特許請求の範囲】
【請求項１】
螺旋降下角とストレート降下角を、安定昇降用３０度に一律設定したコースにおいて、搭乗ステップの上昇側及び降下側の２軸４ローラを同一水平面とし、
前記２軸４ローラの上昇側ローラ軸、降下側ローラ軸は、それぞれ上昇側旋回ブラケットと、降下側旋回ブラケットに設けられ、
前記上昇側旋回ブラケットには、牽引チェインの干渉回避用に、二股ブラケットの下位外側に片持軸が設けられ、前記片持軸には、フリー旋回ローラ及びフリー旋回鍔が設けられ、
前記降下側旋回ブラケットには、前記降下側ローラ軸の同心外装の中空軸外側にカムブレーキが設けられ、左右の中空軸を一体構成する軸受ボックスが中央に設けられ、
前記軸受ボックスの上昇と降下側の直交軸によるカムブレーキ適応の左右レール上のローラ軸センターの軸心サポートによる左右レール上のローラ軸の上下旋回スイング機構を備えたことを特徴とする多目的自動昇降ステップシステム。
【請求項２】
階段の傾斜と平行に装備する昇降ステップの支持は、ステップ両側面の装備軸受により、上昇と降下側２軸の外側に鍔付のフリー旋回ローラと、２軸の中間に１列牽引チェインの切断検知と同期過激ショック回避静止に、ローラ軸と同心外装の中空軸外端にローラと至近にブレーキカムを装備し、１列牽引チェイン切断検知と同期ブレーキカム作動静止に、２列レールはカムブレーキ適正に、溝形レールを横倒し構成し、ストレート昇降用カムブレーキ装備のローラ軸センターの軸心上下スイング機構とし、
搭乗踏面の略足幅の拡幅に、歩行側の安全を確認し、蹴り出し踏面加圧と加圧解除同期バネによる復元静止とし、
搭載荷物の管理用添乗に、ステップの降下側のレールコースに設定の自重スライド切替えレバー付きステップを構成し、
低段差乗降兼用とし、
搭乗踏面着脱ベンチは、座席面単一の乗降端安全位置９０度以内の手動旋回点固定と、昇降時の復元固定形式とし、荷物搬送兼用としたことを特徴とする請求項１に記載の多目的自動昇降ステップシステム。
【請求項３】
ストレートレールの中央空間の落下物回収は、昇降端固定ベルトの昇降ステップ内の手繰りベルトの降下端での排出とし、歩行側の溝形レールの上面に、１〜２列のワイヤロープを貫通支持の複数サポータ配備と、前記ワイヤロープの昇降端を固定し、落下物のロープ加圧と、それに同期してモータを停止し、ストレート昇降用カムブレーキ装備のローラ軸センターの軸心上下スイング機構とし、昇降端のスペース適応に１列チェインラックによる自走昇降形式の装備を対象としたことを特徴とする請求項２に記載の多目的自動昇降ステップシステム。
【請求項４】
昇降ステップ支持ローラスパン同一の上位ローラ、下位ローラの個別ガイド重ね２段レール構成のストレート降下水平屈折以降、ストレート従動軸介在往復昇降と、上昇端水平面乗降用水平屈折と昇降ストレート降下水平屈折の従動軸介在往復昇降と、フリー旋回ローラ鍔装備形式のローラ軸センターの軸心スイング機構を備えたことを特徴とする請求項２又は３に記載の多目的自動昇降ステップシステム。
【請求項５】
上昇時の引揚げハンドプラーと降下時のサポート機能構成において、
階段の壁側に併装のエスカレーター手摺り面対象に、エンドレスチェイン駆動による昇降端待ちタイム短縮に、ハンドプラーは昇降端と中間帯にも配備し、ハンドプラー握り同期通電と、昇降駆動の押釦と、転倒時の手離し同期自動停止とし、
上昇端には牽引チェイン切断検知と同期モータ停止とし、ストレート降下屈折には小形コの字形レール合成ガイドレールの中間に、２列のチェインアタッチを介してチェインカバー兼用で、手指の閉塞トラブルを回避し、曲げ昇降コースには１列チェインの両側面アタッチ形式を採用し、４５度以下ストレート降下点でストレート３０度に曲げレール接続し、９０度水平旋回と同期３０度降下の螺旋階段コースには、上昇端４５度降下点で、３０度に円満曲げレール接続し、水平面９０度旋回と同期螺旋降下角３０度の１律降下〜従動軸による往復昇降、４５度降下点で以降３０度のストレートレール接続以降にも、螺旋旋回３０度降下コースのプラー装備ベース前後の安全昇降に、ハンドプラーの歩行側には竪軸ガイドローラ装備と、壁側には浮上防止にカーブ適応に水平軸ガイドローラ装備を特徴とする多目的自動昇降ステップシステム。
【請求項６】
ストレートの頻繁往復昇降の電力節減に、それぞれ１列チェイン牽引の上昇と降下専用２連を同時昇降に、モータ共用とする２連上昇側駆動軸は、上昇と降下兼用の逆回転に歯車介在の駆動２軸と、降下側従動軸は共用１軸にモータ兼用のトルクオーバー同期停止と、トルクオーバー解除同期昇降復元駆動とし、上昇者と降下者の相互安全用に、２連構成プラー中間の手摺り面上に半透明の仕切板を備えたことを特徴とする請求項５に記載の多目的自動昇降ステップシステム。
【発明の詳細な説明】
【技術分野】
【０００１】
本発明は、階段に併装する多目的自動昇降ステップシステムに関するものである。
【背景技術】
【０００２】
従来から、がたつきなどを回避して安全性を追及することを目的とした昇降ステップシステムが知られている（例えば、特許文献１を参照）。
また、従来から、水平面９０度旋回と同期３０度の螺旋旋回降下部のコンパクトなユニットの製作を容易化し、ストレート４５度降下点から以降水平面９０度旋回と同期螺旋旋回降下角３０度に減角化し、９０度旋回以降１律３０度の降下と従動軸介在の往復昇降と、９０度旋回２回介在１８０度旋回に１律３０度降下従動軸介在、往復昇降の２形式を螺旋階段９０度と１８０度旋回コースの安全と構成装備の合理化が要望されている。
【０００３】
かかる螺旋旋回コース介在レールの安全コンパクトのために、昇降２軸４ローラの同一水平面支持形式と牽引チェイン切断検知同期カムブレーキが設けられ、カムブレーキによる安全停止において、２列レール上左右ローラのレール上空間発生によるブレーキ機能の劣化を防止することが求められている。
【先行技術文献】
【特許文献】
【０００４】
【特許文献１】特開２００３―４１７９２号公報
【発明の概要】
【発明が解決しようとする課題】
【０００５】
レール磨耗時のローラ鍔間のクリヤランス調整保守作業の簡易化と低コスト化の両立は、装備地域と環境ないし条件関連の判断が至難となり、簡便なフリー旋回鍔のネジスライドと歩行側レールのスライド調整を選択肢としている。
上記状況に鑑みて、本発明は、壁側に階段の傾斜と平行に併装の自立搭乗昇降装置において、レール上ローラ間の各種挟み込みトラブル回避とサイレント安全昇降を行える自動昇降ステップシステムを提供することを目的とする。
【課題を解決するための手段】
【０００６】
上記目的を達成すべく、本発明の第１の観点の多目的自動昇降ステップシステムは、
１−１）螺旋降下角とストレート降下角を、安定昇降用略３０度に一律設定したコースにおいて、搭乗ステップの上昇側及び降下側の２軸４ローラを同一水平面とし、
１−２）上記の２軸４ローラの上昇側ローラ軸、降下側ローラ軸は、それぞれ上昇側旋回ブラケットと、降下側旋回ブラケットに設けられ、
１−３）上記の上昇側旋回ブラケットには、牽引チェインの干渉回避用に、二股ブラケットの下位外側に片持軸が設けられ、前記片持軸には、フリー旋回ローラ及びフリー旋回鍔が設けられ、前記降下側ローラ軸の同心外装の中空軸外側にカムブレーキが設けられ、
１−４）上記の降下側旋回ブラケットは、左右の中空軸を一体構成する軸受ボックスが中央に設けられ、
１−５）上記の軸受ボックスの上昇と降下側の直交軸によるカムブレーキ適応の左右レール上のローラ軸センターの軸心サポートによる左右レール上のローラ軸の上下旋回スイング機構を、備えたことを特徴とする。
ここで、鍔付ローラはローラ軸対象スライド形式と片持軸の場合は、軸のネジ調整とし、フリー旋回鍔は、地域的制限はなくレールのスパン調整は近い地域装備を限度とする。
【０００７】
また、本発明の第２の観点の多目的自動昇降ステップシステムは、第１の観点において、
２−１）階段の傾斜と平行に装備する昇降ステップの支持は、ステップ両側面の装備軸受により、上昇と降下側２軸の外側に鍔付のフリー旋回ローラと、２軸の中間に１列牽引チェインの切断検知と同期過激ショック回避静止に、ローラ軸と同心外装の中空軸外端にローラと至近にブレーキカムを装備し、
２−２）１列牽引チェイン切断検知と同期ブレーキカム作動静止に、２列レールはカムブレーキ適正に、溝形レールを横倒し構成し、
２−３）ストレート昇降用カムブレーキ装備のローラ軸センターの軸心上下スイング機構とし、
２−４）搭乗踏面の略足幅の拡幅に、歩行側の安全を確認し、蹴り出し踏面加圧と加圧解除同期バネによる復元静止とし、
２−５）搭載荷物の管理用添乗に、ステップの降下側のレールコースに設定の自重スライド切替えレバー付きステップを構成し、低段差乗降兼用とし、
２−６）搭乗踏面着脱ベンチは、座席面単一の乗降端安全位置９０度以内の手動旋回点固定と、昇降時の復元固定形式とし、荷物搬送兼用としたことを特徴とする
【０００８】
また、本発明の第３の観点の多目的自動昇降ステップシステムは、第２の観点において、
３−１）ストレートレールの中央空間の落下物回収は、昇降端固定ベルトの昇降ステップ内の手繰りベルトの降下端での排出とし、歩行側の溝形レールの上面に、１〜２列のワイヤロープを貫通支持の複数サポータ配備と、前記ワイヤロープの昇降端を固定し、落下物のロープ加圧と、それに同期してモータを停止し、ストレート昇降用カムブレーキ装備のローラ軸センターの軸心上下スイング機構とし、昇降端のスペース適応に１列チェインラックによる自走昇降形式の装備を対象とすることを特徴とする。
【０００９】
また、本発明の第４の観点の多目的自動昇降ステップシステムは、第１の観点又は第２の観点において、
４−１）昇降ステップ支持ローラスパン同一の上位ローラ、下位ローラの個別ガイド重ね２段レール構成のストレート降下水平屈折以降、ストレート従動軸介在往復昇降と、上昇端水平面乗降用水平屈折と昇降ストレート降下水平屈折の従動軸介在往復昇降と、フリー旋回ローラ鍔装備形式のローラ軸センターの軸心スイング機構を備えたことを特徴とする。
【００１０】
また、本発明の第５の観点の多目的自動昇降ステップシステムは、
５−１）上昇時の引揚げハンドプラーと降下時のサポート機能構成において、階段の壁側に併装のエスカレーター手摺り面対象に、エンドレスチェイン駆動による昇降端待ちタイム短縮に、ハンドプラーは昇降端と中間帯にも配備し、ハンドプラー握り同期通電と、昇降駆動の押釦と、転倒時の手離し同期自動停止とし、
５−２）上昇端には牽引チェイン切断検知と同期モータ停止とし、ストレート降下屈折には小形コの字形レール合成ガイドレールの中間に、２列のチェインアタッチを介してチェインカバー兼用で、手指の閉塞トラブルを回避し、曲げ昇降コースには１列チェインの両側面アタッチ形式を採用し、４５度以下ストレート降下点でストレート３０度に曲げレール接続し、９０度水平旋回と同期３０度降下の螺旋階段コースには、上昇端４５度降下点で、３０度に円満曲げレール接続し、水平面９０度旋回と同期螺旋降下角３０度の１律降下〜従動軸による往復昇降、４５度降下点で以降３０度のストレートレール接続以降にも、螺旋旋回３０度降下コースのプラー装備ベース前後の安全昇降に、ハンドプラーの歩行側には竪軸ガイドローラ装備と、壁側には浮上防止にカーブ適応に水平軸ガイドローラ装備を備えたことを特徴とする。
【００１１】
また、本発明の第６の観点の多目的自動昇降ステップシステムは、第５の観点において、
６−１）ストレートの頻繁往復昇降の電力節減に、それぞれ１列チェイン牽引の上昇と降下専用２連を同時昇降に、モータ共用とする２連上昇側駆動軸は、上昇と降下兼用の逆回転に歯車介在の駆動２軸と、降下側従動軸は共用１軸にモータ兼用のトルクオーバー同期停止と、トルクオーバー解除同期昇降復元駆動とし、
６−２）上昇者と降下者の相互安全用に、２連構成プラー中間の手摺り面上に半透明の仕切板を備えたことを特徴とする。
【発明の効果】
【００１２】
本発明の多目的自動昇降ステップシステムは、安全昇降機能の合理化構成に、自立搭乗の安全にステップ固定の杖代用のハンドサポータでは、体重絡みの押し込み又は引き込みの過大曲げ外力発生による昇降機能障害の誘起回避に、壁側に簡易レール装備の内側転動昇降する外形球面ローラの軸端をハンドサポータに装備形式又はコンベアチェイン表面連続手摺り面構成も選択肢とし、足腰の弱い人対象に搭乗踏面の着脱ベンチにより、乗降端安全位置に、座席面９０度以内手動旋回形式の荷物搬送兼用とし、自力歩行にコンベアチェイン形式、自動昇降ハンドプラー握り昇降形式と共に、安全には牽引チェイン切断検知同期カムブレーキ停止の左右レール上ローラ間空隙排除にカムブレーキ適性のローラ軸センターの軸心スイング形式を装備し、安全停止を確保できるといった効果を有する。
【図面の簡単な説明】
【００１３】
【図１】電動エンドレスチェイン１系列牽引搭乗踏面の降下側自重スライド形式の階段、壁側に併装往復昇降ステップ１の上昇端停止側面図
【図２】図１のステップ正面断面図
【図３】１系列牽引ベルトチェイン昇降路上落下トラブル回避用の昇降端に固定ベルトの昇降連動手繰りベルト構成ステップの上昇端停止の側面断面図
【図４】図３の落下物サポートベルト方式略図
【図５】図３の１系列牽引ブレーキカムを構成し、フリー旋回鍔削除のローラ軸の簡易形式スイングイメージ図。但し、ローラ軸センター軸心スイングはセンター直上に竪軸サポート水平基盤構成スペースを装備条件となる
【図６】ステップ壁側の踏面固定用自立搭乗安全ハンドサポータのイメージ説明図
【図７】図６の上部サポートガイド正面断面図
【図８】図７の平面図
【図９】２面平行、水平溶接構成溝形レールのイメージ図、Ａは山形鋼（アングル）２列溶接溝形構成レール、Ｂは山形鋼と平鋼による溶接溝形構成レール、Ｃは山形鋼（アングル）レールのローラガイド端加工構成外側面遮蔽山形レール形式、Ｄは平鋼２列の溶接構成ローラガイド端加工の山形レール、Ｅは形鋼の内面傾斜の溝形鋼、Ｆはステンレスのサイズ限定山形鋼溶接溝形構成レール
【図１０】昇降レール正面断面図でレール中央は、昇降コースに手繰りベルト２０を構成し、歩行側の溝形レール上面に細いワイヤロープ１２０を貫通サポータ１２１複数個介在、昇降端に固定し、落下物降下ロープ１２０加圧検知同期モータ停止のレール正面断面図
【図１１】図１０の平面図である
【図１２】階段壁側の簡易構成用プラスチックその他適材による平滑構成３面アタッチエンドレスチェイン方式同期連動昇降手摺り装備イメージ側面図
【図１３】３面チェインアタッチ側面図
【図１４】硬質ゴム焼付、プラスチックその他ライニング手摺り正面図
【図１５】昇降端乗降安全位置座席面９０度以内手動旋回角固定と昇降時の復元固定の乗降面装備着脱ベンチ平面図
【図１６】図１５の側面図
【図１７】着脱ベンチ２４を装備ストレート昇降コースの側面図
【図１８】踏面直下構成の常時緩いバネによる自力収納形式の歩行側に足幅程度約１０ｃｍのスライド蹴り出し機構イメージ図
【図１９】ステップ１系列チェイン牽引水平屈折下弦コーナターン概要説明断面図
【図２０】ステップ支持昇降ローラスパン同一の重ね２段レール構成の上昇端ストレート降下水平屈折従動軸介在の往復昇降形式の上昇端水平面乗降用駆動軸構成とする概要イメージ説明側面図
【図２１】図２０のチェイン調整部側面図
【図２２】チェインラック形式自走昇降ステップの概要説明正面断面図
【図２３】昇降ステップ１の上昇端支持ローラと降下側ローラ３Ａ各左右２個計４個の同一水平面支持の上昇端停止側面図と水平旋回降下端停止の側面図
【図２４】図２３の階段側昇降レール側面局部図
【図２５】ストレート昇降〜螺旋コーナ旋回を介してカーブドチェイン活用１８０°旋回昇降コースを安全、省力歩行用自動ハンドサポータ装備階段イメージ説明側面図
【図２６】図２５の上部イメージ平面図
【図２７】べースローラ４個を同一水平面装備コンパクト化ステップ下面に、牽引チェイン構成に上昇側、降下側旋回ブラケット配備切断検知ローラ装備側面図
【図２８】図２７の平面図で、レール部の２点嵌装旋回ブラケット５７と５６を介して昇降、旋回、境界区間の２軸平行、均等開放、瞬時の個別旋回、水平屈折平面上旋回形式の説明兼用イメージ平面図
【図２９】図２８の降下側旋回ブラケット５６の水平屈折用コーナガイドとカーブドチェイン旋回レール、切断検知ローラ関連ブレーキカム装備中空軸と同心内径に、ローラ軸構成の説明正面断面図ブラケット上部のセンタサポート軸による、少角スイングユニット１２４構成図
【図３０】図２８の上昇側ステップ支持ローラ軸装備双股旋回ブラケット５７正面断面図
【図３１】ストレート降下水平屈折〜旋回域と２点鎖線によるステップ左右２列ガイド降下螺旋階段コーナ部イメージ説明平面図
【図３２】中空軸にカムブレーキ同心構成降下側ローラ軸センターの軸心スイングユニットの昇降レールの正面断面図
【図３３】図３２の平面図
【図３４】上昇端ストレート４５度昇降コースのレール中央部にステップの昇降連動左右開閉スライド構成と、歩行側に図１０と１１同形式落下物加圧、検知同期モータ停止の細いワイヤロープ構成の正面断面図
【図３５】図３４の平面図
【図３６】昇降端待機タイム減免にエンドレスチェイン全面手摺りの上面中央に複数個のプラーハンドサポータ配備ストレート昇降用イメージ側面図
【図３７】図３６構成の牽引チェイン側面図
【図３８】握り、手掛け同時通電と押釦昇降の手離し同期停止形式握り正面図
【図３９】握りを掴んだハンドが昇降端検知同期停止方式説明略図
【図４０】図３９の側面図
【図４１】ストレート昇降、ストレート降下水平屈折ハンドプラー装備部断面図
【図４２】図４１の手摺り、ハンドプラー装備面の前後配備のガイドローラ構成説明平面図
【図４３】ストレート降下水平屈折、螺旋コーナ昇降用ハンドプラーに於いて昇降端限定スプロケット装備形式プラーコースレール断面図
【図４４】図４３の前後のガイドローラを配備した平面構成図。
【図４５】図４３の手摺り面ハンドプラー構成のストレート４５度降下端で、水平面９０度旋回と同期螺旋旋回降下角３０度に減角化し、水平面９０度旋回螺旋角３０度ストレート３０度降下従動軸介在往復昇降〔１〕と９０度旋回２回で従動軸介在の往復昇降コース〔２〕形式のイメージ説明断面図
【図４６】図１８搭乗面直下構成の常時緩い安全バネによる自力収納形式の歩行側約１０ｃｍ限度スライド蹴り出し部イメージ説明側面図
【図４７】図３６プラー牽引昇降形式の上昇と降下専用２列同時昇降の上昇側駆動軸は、ギヤー介在２軸とし、降下側は１軸共用とする単一モータの同時駆動とし、トルオーバー停止とオーバー解除同期昇降復元方式の牽引昇降ハンドプラーイメージ略図
【発明を実施するための最良の形態】
【００１４】
以下、本発明の実施形態の一例を、図面を参照しながら詳細に説明していく。なお、本発明の範囲は、以下の実施例や図示例に限定されるものではなく、特許規制に逸脱しない幾多の変更及び変形が可能である。
【００１５】
装備環境のレール装備条件の精細な現場検証を大切に、工場内完成の装備環境適応の分割搬入安全装備用機材認識調査と構成部品は量産関連工場製品をメンテナンスパーツの主体とし、主要機能は工場の組立と、機能検査を重視し検査データを保管し、即時対応メンテナンスに活用。
【実施例１】
【００１６】
上述の本発明の第１の観点について、図２３〜３５により説明する。ハンドサポータ（図６〜８を参照）とレールイメージ（図９を参照）の溝形レールは、カムブレーキと同心ローラ軸構成の降下側には、図９の溝形ローラガイドレールＡ，又はＢ構成とし、上昇側レールはレール上ローラ間挟み込みトラブル回避に外側面遮蔽山形形式の図ＣとＤ構成とする。
【００１７】
図１２−１４のエンドレスチェイン方式手摺り７４と着脱ベンチ、図１５と１６は装備環境条件の適応構成とする。  図２３は、ステップの上昇側支持ローラ２とカムサイドローラ３Ａ各左右２個計４個同一水平面支持形式の上昇端停止と、降下水平屈折直後の説明側面図である。
【００１８】
図２４は階段側２列合成レール１１３構成図である。図２５と２６はストレート階段〜螺旋コーナ旋回を介して、カーブドチェイン活用１８０°旋回昇降コースを安全、省力歩行用起動握りプラー７６装備コースのイメージ側面図と平面図である。
【００１９】
図２７はベースローラ４個を同一水平面装備コンパクト化ステップ下面に、牽引チェイン構成に上昇側、降下側旋回ブラケット配備の降下側は切断検知ローラ装備側面図である。図２８は図２７の平面図で、レール部の２点鎖線は左右２列レールの１貫構成の螺旋階段用レールイメージで、上昇と降下側の２軸嵌装旋回ブラケット５７と５６を介して昇降、旋回境界区間の２軸平行、均等開放瞬時の個別旋回、水平屈折旋回形式の説明イメージ平面図である。図２９は、図２８の降下側旋回ブラケット５６の水平屈折用下弦コーナガイドとカーブドチェイン旋回レール、切断検知ローラ関連説明正面断面図である。
【００２０】
図３０は図２８の上昇側旋回ブラケットは、牽引チェイン干渉回避に長い２股ブラケット形式とし、ステップ支持ローラ軸装備旋回ブラケット５７の正面断面図である。
図３１は、ストレート降下水平屈折〜旋回域と２点鎖線によるステップ左右２列ガイド降下螺旋階段コーナ部平面図のイメージ説明図である。
【００２１】
本発明の第１の観点は、ステップ支持４個の上昇側ローラ２とカムサイドローラ３Ａを同一水平面昇降ガイドに、壁側の２列合成レール１１３と階段側２列合成１１３Ａを構成し、図２３は上昇停止と降下水平屈折直後の説明側面図である。ステップ１の下面水平基盤には、上昇側ローラ２の装備軸２６嵌装上昇側旋回ブラケット５７とブレーキ構成降下側旋回ブラケット５６を構成し、上昇側ブラケット５７は、牽引チェイン干渉回避のため降下側より片持ちローラ軸上高く２股ブラケットの両外側面に装備の片持軸外端に、フリー旋回ローラ２とローラ軸と同心外装中空軸には、レール磨耗時のネジスライド調整のフリー旋回鍔を装備し、降下側は、ブレーキ併装のため深溝レールで、上昇側は浅溝のため水平屈折以降左右１列収納に於ける昇降旋回屈折点レール旋回コーナガイドのトラブル発生余地なく円滑に安全昇降する。上昇側レール構成に適応して、レールスパン方向スライド形式の鍔付ローラ構成とする。
【００２２】
屈折部チェインガイドは、図２９の降下側旋回ブラケット５６の下弦ガイド３９を介して、カーブドチェイン６９を上下屈折ガイドし、サイドローラ７０を介して、旋回用ガイドレール１００によりガイドする。カーブドチェイン６９とステップ１の連結は、下弦コーナガイド３９の干渉外強化を余儀なくされ、チェイン下部連結ブラケット９２は、昇降コース間スプロケット干渉なく、チェインリンクを厚く、下部を長くしローラ径と拡大を牽引ブラケット１６の先端構成することにより、以降チェインの上昇と降下を可能にする牽引ブラケット１６から上昇側チェイン３０ｃｍ区間に、チェイン切断検知ローラ６Ａの常時加圧用の切断検知チェインアタッチ１１４をピッチ連続構成とする。
【００２３】
降下側旋回ブラケット５６の如く従動ホイール５２直前停止形式では、連結部チェイン、チェインリンクの下部は厚く長く強化出来る。図２９の降下側旋回ブラケット５６は、ローラ軸２６と同心外装左右同一の中空軸カムハウジング３８に、フリー旋回鍔５５と外端にブレーキカム３を構成し、左右の旋回２重軸受５１を介して、ブラケットセンター位置のブレーキ連動カップリング１１２介在ネジ込みボルト固定形式で、左右のカムハウジング３８は同期旋回形式とし、牽引チェイン６９の切断検知機能構成に、ブレーキ連動カップリング１１２の直径上検知ローラ６Ａ対象にバネアーム２５構成、チェイン切断同期ローラは抵抗を失いバネ復帰できる。レールガイドのフリー降下側旋回ハウジング１１６を介して、軽快レールガイド形式とする保守作業の安全容易化に、降下側竪軸６５延長降下側ブラケット旋回ハウジング１１６を搭乗面直下の水平基盤構成とする。
【００２４】
図３０構成の上昇側旋回ブラケット５７は、牽引カーブドチェイン６９の干渉回避に、ローラ軸は分割双肢ブラケットの左右外側構成の片持ち軸に、フリー旋回鍔介在フリー旋回ローラを装備し、双肢ブラケット両面フレームを高くして、上昇側ブラケット旋回ハウジング１１７を降下側同様水平基盤構成とする。
【００２５】
先ず、図２９の降下側旋回ブラケット５６と、図３０の上昇側旋回ブラケット５７の水平屈折について説明する。昇降中の上昇と降下側旋回ブラケット５７と５６は、ブラケット上方内側と対角線ストッパ９６を２個と、内側下位のカム連動ブラケット旋回停止ストッパ９８により、昇降中の２軸を平行固定し、右側の旋回直前の旋回連動カム加圧を介して、ステップ旋回区間中ストッパ９８を解除形式で、右ブラケットは、旋回限定ストッパ９９まで開放し、左側ブラケットもストッパ機能開放を介して、左右ブラケットは夫々外方の旋回限定ストッパ９９を介して均等開放旋回を可能にし、両サイドベースローラ同軸構成のフリー旋回鍔５５の連動ガイドにより２軸均等開放形式である。
逆に旋回区間から上昇行程において、ストッパ９８はカム加圧解除と共に、ストッパ機能復元２軸平行昇降となる。図３１右側はサイズ限定カーブドチェイン６９の旋回コースは、サイドローラ７０を介して旋回レール１００をガイドされる。
【００２６】
カムブレーキと同心降下側ローラ軸のセンター軸心スイング形式について、図３２と３３により説明する。図３２はレールの昇降方向正面断面図で、図３３は平面図である。
【００２７】
図３２左右の中空軸３８のサポート軸受１１９とローラ軸センターのスイング軸１２７各２個でスイングハウジングを構成し、スイング軸サポートブラケット１２８によりスイング機能を構成し、ブラケットセンターの竪軸６５真上の水平基盤構成とする。
【００２８】
図３４と３５により上昇端ストレート４５度降下コースと、従動軸直前のストレートコースの昇降レール上面の落下物トラブル回避に、ステップと昇降連動開放する複数個の左右スライドシャッター１２９と、昇降ステップの上昇と降下側に、装備のシャッター開放用先端ローラ１２３と全開コースローラ１３０を構成し、ステップ内には昇降中のシャッタースライド停止に、ステップ内の上昇と、降下側ローラ１３０の装備区間に、小形ローラチェイン装備又は小径ローラ複数配備により、昇降中のステップ内スライド降下を停止している。
【００２９】
ステップの昇降と連動押し上げ開放停止後のスライドシャッター降下端接点の雑音回避に空隙介在停止形式とし、図３４はレール昇降方向の正面断面図で、図３５は平面図である。昇降ステップの上昇と降下側装備の開放用ローラ１２３と１３０のガイドレール１２９Ｂ構成によるシャッターコーナの空白部にプラスチック材１２９Ａをネジ固定形式とし、歩行側には、本発明の第２の観点の図１０と１１同形式の落下物検知同期モータ停止のワイヤロープ１２０を構成し、シャッター１２９の切欠き１３２は、スライド時のロープサポータ１２１の干渉回避用とする。
【００３０】
本発明の第２の観点と第３の観点について、図１〜２２と図４６により説明する。
図１は電動エンドレスチェイン１系列牽引形式搭乗面降下側の自重スライド方式で、階段の壁側併装に、往復する昇降ステップ１の上昇端停止側面図である。
また、図２は、図１のステップ正面断面図である。
図２〜４は昇降端固定の落下物サポートベルト手繰り昇降機能構成のステップ１系列牽引昇降形式である。
【００３１】
昇降ステップ固定ハンドサポータについて、図６〜８により説明する。昇降ステップ１の壁側に沿ってステップ固定サポータフレーム２７を装備し、その上部には、昇降レールと平行な壁面２８に平行、下向きに垂直固定された山形鋼（アングル）の歩行側に曲げガイドレール２９下面に、構成の嵌装転動ガイドを受けるステップ固定サポータフレーム２７の上部に装備の外径球面ローラ３０により、ガイドレール２９に発生する不当な外力の波及防止には、ステップ固定サポータフレーム２７にバネ介在蝶番装備形式と、ハンドサポータと踏面の固定部に、異常押し込み又は引き込み外力のバネ介在検知同期ブザー警告モータ停止の独立ハンドサポータと、昇降ステップと昇降連動エンドレスチェインの上面に、ハンドサポータ面構成手摺りの３形式とする。
【００３２】
次に、適性レールについて、図９により説明する。
ブレーキ機能適正と歩行側レール面上ローラ間各種挟み込みトラブル回避には、外側面遮蔽に図９の山形鋼レールＣとＤとし、カムブレーキ機能適正には溝形レールの内側２面平行と水平形式は、ステンレス形鋼のサイズ限定溶接溝形鋼以外に市場品なく、Ａは山形鋼（アングル）２列の溶接と、Ｂは山形鋼と平鋼の溶接２形式と、Ｅは鉄系の内面傾斜形式溝形鋼で、Ｆはステンレスのサイズ限定山形鋼２列溶接形式とする。
【００３３】
図１０は、レール上面の正面断面図で、２列レール上面の落下物トラブル回避に２列レール内側の落下物サポータ手繰りベルト２０形式と、歩行側のレール上面に細いワイヤロープ１列を貫通サポータ複数個配備し、昇降両端にロープ固定し、落下物ロープ加圧同期モータ停止形式とする。図１１は、図１０の平面図である。
【００３４】
図１２〜１４は、昇降ステップと連動昇降する壁側併装のチェインコンベア形式の手摺りで、図１５と１６は昇降端の安全位置乗降に、座席部の９０度以内手動旋回乗降と、荷物搬送兼用着脱ベンチ２４の平面図と側面図である。
図１７は、着脱ベンチ装備昇降側面図である。着脱ベンチ面１８の丸形着脱ガイド１９は、昇降端９０度手動旋用とし、乗降旋回点ボルト固定と昇降用固定操作する旋回乗降ベンチは、高齢者と足腰の弱体者の安全昇降とする。
【００３５】
尚、図１４の２列チェインはストレートコース以外には構成できない。
【００３６】
昇降ステップ１は、搭乗踏面１８を構成する両側面のステップフレーム７３装備の軸受を介して、同形式２軸ローラシャフト２６に構成し、鍔付上昇側ローラ２と、降下側ローラ４計４個により、昇降ステップ１を昇降支持ガイドする。上昇側ローラ２と降下側ローラ４は、左右夫々カムブレーキ適応溝形の内面ストレート平行、水平の市場品はサイズ限定のステンレス溶接形式以外になく、ブレーキカムの機能適応溝形鋼レールは山形鋼（アングル）２列の溶接構成溝形横倒し内向き対象２列レール昇降路とし、溝形ガイドレール１７を構成する。この溝形ガイドレールの上昇端には、駆動ホイール１３とコーナホイール１４と、モータ停止専用チェイン切断検知器１５を降下端には、従動ホイール５２とコーナホイール１４に、チェインテンショナー、テークアップを装備している。
【００３７】
切断検知により過激ショックを回避し、安全静止の基本概念について要旨説明する。狭い階段にも併装可能と同時に安全歩行が前提の環境は必然的に、狭い踏面に自立搭乗形式となる。急激停止では搭乗者の安全保障は出来ないため、切断検知ローラ６Ａはバネ起動旋回するブレーキカム３は、軟質材ライニングも選択肢とし、旋回角９０度のローラ軸偏心形式カムを介して、瞬時の完全停止回避に安全静止のブレーキカム３を鍔付ローラ２と４の中間に、２重軸受５１介在、カムハウジング３８と段付嵌装ボルト固定し、昇降中の安全サポートに、カムサイドローラ３Ａを同軸空転構成している。
【００３８】
また、下方には牽引チェイン１２にチェインアタッチ介在接触する切断検知器ローラ６Ａを備え、ブレーキカム３と連結する切断検知器６を設けている。  安全化にステップ支持ローラ２と４の脱却防止に、カムブレーキ適性のレール面水平溝形鋼に、２列の山形鋼アングル溶接２形式の溝形合成レールを構成している。
【００３９】
次に、切断検知器について、図１〜２により説明する。昇降ステップ１の上昇側ローラ２と降下側ローラ４の中間帯に、左右牽引構成チェイン一系列に装備されている切断検知器６と同期昇降ステップ停止ブレーキカム３は、至近外側にブレーキ機能サポート用カムサイドローラ３Ａをローラシャフト２６の両端に空転配備し、常時はブレーキカム３の非作動維持用左右二重軸受５１を構成するカムハウジング３８と一体化している。カムのブレーキ角軽快旋回停止形式の切断検知器６で、カムハウジング３８と同時旋回のアームで固定している。
【００４０】
ローラシャフト２６下方のスイング形式装備の切断検知器ローラ６Ａは、常時は正常牽引チェイン１２の張力により、スイング角でセット維持している。ローラシャフト２６の上方に連結するバネアーム２５はチェイン切断により緩みが生じた時、バネアーム２５の他端に設けられたバネ１１が復元し、その張力がバネアーム２５によりブレーキ停止し、ブレーキカム３は溝形ガイドレール１７内側でカム旋回して、溝形レールの上下内壁に接してブレーキ作動停止する。又ブレーキモータも停止回路により同時停止し、モータ装備の上昇端には硬質ゴムローラ装備同形式モータ専用停止検知器構成とする。
【００４１】
図５は、ストレートのレール昇降用ステップ支持２軸鍔付４ローラの昇降ローラ中間に、装備のため鍔削除形式のフリー旋回鍔削除のカムブレーキと、同心構成するローラ軸センターの軸心スイング方式である。カムブレーキの左右ローラのレール上片側浮上空間は、片効きブレーキの各種トラブル回避スイング形式である。
【００４２】
次に、搭乗踏面降下側のスライド切換えレバー付きの自重スライドベース踏面４６について図１と図２により説明する。サポートベース踏面４６は、昇降ステップ１内に装備のブレーキ作動するバネ１１と、連結するバネアーム２５と、非干渉位置スペース活用ステップ収容不足分の硬質ローラ自重スライド形式のサポートベース踏面４６は、昇降ステップ１から連動スイング展開踏面８９とその踏面に同一面で続くサポート踏面４６からなる。
【００４３】
昇降ステップ１内に前部収容の自重スライド降下ストロークの範囲限定されるようにサポートベース踏面４６両側下方の連結サポートフレーム１０左右に設けられたサポート上昇側ローラ７とサポート降下側ローラ５で支持し、サポートベース踏面４６と同一幅のスイング展開踏面８９のスライドストロークは、スライド復元ベース４６Ｂと搭乗踏面１８との落差がスライドストローク設定要素になる。
【００４４】
次に、昇降２列レールの外側幅上の落下トラブル防止について、ベルト幅の狭い１列牽引形式は、図２〜４により説明する。昇降路上面の開口部ステップ幅は、昇降連動ベルトの手繰りベルトの簡易コンパクト化に、ベルト両側にストレート小形ガイドチェインベルト又はタイミングベルト形式の落下物サポートベルト２０を、ステップ内構成手繰りプーリ２１と誘導、送り出し兼用手繰り補助ローラ２２、２２Ａを介して、ステップの昇降連動手繰り昇降路の表面遮蔽装備とする。
【００４５】
次に、図１２は、階段の壁面簡易構成用プラスチックその他適材による平滑構成３面アタッチ手摺りの昇降連動イメージ側面図である。また、図１３は、３面チェインアタッチ側面図である。また、図１４は、ストレートコース専用形式で上面と両側の３面を硬質ゴム焼付、その他適材ライニング平滑チェインの正面図である。
【００４６】
図１８と図１９と図４６の参照により、歩行側の安全確認を前提とし、狭い踏面の同時歩行側に足幅程度の拡幅スライド形式について説明する。ステップ歩行側スライドレール部の左右支持ガイドローラ６６を装備し、安全搭乗可能スライド面１５ｃｍと、スライド面固定レール部６７は、長さ２０ｃｍ後端に、ステップ踏面のガイドレール後端ローラ６８を構成し、左右支持ガイドローラ６６を介して、実質約１０ｃｍスライドを折り曲げ、サイド７１を介して軽く蹴り出し面加圧搭乗と加圧解除同期緩速バネ復帰形式である。
【００４７】
図１９は、水平屈折下弦コーナターン部ステップ正面断面図であり、牽引チェイン１２と昇降ステップ１の連結は、下弦コーナターン３９と非干渉のチェイン上面補強連結にリンク強化と、ピン径拡大とチェインローラと同径兼用直交固定の牽引アーム１６から、上昇側に切断検知チェインアタッチ１１４をピッチ連続で３０ｃｍ装備している。切断同期左右ブレーキ起動には、ブレーキ連動カップリング１１２を構成している
【００４８】
次に、自走形式について、図２２により説明する。
ブレーキモータ５８はその長手方向と狭い昇降ステップ１内の内昇降方向に搭載し、チェインラック６２と噛み合う自走駆動スプロケット６０には、自走駆動チェイン５９が駆動スプロケット６０同軸のスプロケットと駆動プーリ６３とコーナスプロケット４９、５０を介して、自走駆動チェイン５９により行い、チェインテンションはモータベース装備コーナスプロケット４９で調整される。
【００４９】
２列レール上の各種落下トラブル回避には、本発明の第１の観点の昇降ステップの昇降端構成のローラガイドとステップ内スライドシャッターのステップ昇降中スライド停止チェインローラ構成とし、昇降ステップの降下側カムブレーキを始め付帯装備は、本発明の第２の観点と第３の観点の選択構成とする。
【００５０】
本発明の第４の観点について、図１９と図２０と図２１により説明する。図１９は、ステップ１系列チェイン牽引水平屈折下弦コーナターン概要説明正面断面図である。図２０は、上昇端設定角４５度ストレート降下水平屈折とストレート降下従動軸による往復昇降と図面省略ながら上昇端の水平面乗降に、上昇端の水平屈折水平面に駆動モータ装備形式とする。
【００５１】
本発明の第２の観点と第３の観点に構成ローラ軸センターの軸心スイング機構は、昇降ローラ２軸の中間装備のため、本発明の第４の観点にはフリー旋回ローラ鍔追加装備形式とする。
【００５２】
ステップ支持昇降ローラスパン同一の重ね２段レールを構成する水平屈折〜再降下可能方式の概要イメージ説明側面図で、図２１は、図２０のチェイン調整部側面図である。図２０は、レール上下２段重ね形式のため水平屈折において、レール交差による各種トラブルの発生余地なく、カーブドチェイン構成により、ストレート上昇水平屈折水平面９０〜１８０度旋回形式を選択肢とする。踏面自立搭乗の安全形式とレールと付帯機能構成は、本発明の第２の観点と第３の観点の選択構成とする。
【００５３】
本発明の第５の観点について、図３６〜４５により説明する。足腰の弱い人、高齢者を対象に健康擁護と管理を大切にするハンドプラーは、上昇時の引揚げと降下時の手摺り機能を流用し、傾斜体重を預け気味の安全サポート機能を構成したものである。
図３６は、階段傾斜と平行なチェインコンベア手摺り面に、昇降端待ちタイム短縮に昇降端以外にも複数個のプラー握り７６を構成し、昇降端で握り７６検知停止形式イメージ側面図である。
【００５４】
図３７は、握り構成牽引チェイン側面図である。また、図３８は、チェインアタッチ表面と両側の３面に、硬質ゴム焼付、プラー握り７６を装備し、ストレート昇降専用形式で、２列チェインとレール間側面抵抗排除に、歩行側の竪軸サイドローラと、外側の浮上防止に水平軸サイドローラ構成正面断面図である。触手感覚を向上し、表面に起動握り、手掛け７６を固定したものである。各種手掛け、握り、同期通電と転倒時手離し同期停止連動正面図である。
【００５５】
図３９は、昇降端手掛け、握り中のハンド８０をハンド検知ストッパ７８で、検知同期安全停止イメージ図である。また、図４０は、図３９の側面図である。また、図４１は、ストレート昇降、ストレート降下水平屈折ハンドプラー前後のサイドローラ構成断面図であり、１列ローラチェイン１２上面の握り装備ベース８３下面壁側に、浮上防止水平軸サイドローラ８４とチェインガイドレール８６の歩行側に竪軸サイドローラ７０を構成である。ここで、８５Ａはレール８５の装備ピッチスペースである。
【００５６】
図４２は、ハンドプラー周辺のガイドローラ配備平面図である。図４３は、握り装備ベースの昇降方向断面図で、合成レール８６の歩行側に竪軸サイドローラ７０を外側には、浮上防止に水平軸ガイドローラ８４を旋回カーブ適応２〜４ピッチに各４個構成説明平面図である。また、図４４は、図４３の構成平面図である。ただし、螺旋コーナ昇降用ハンドプラーの周辺以外においては、本発明の稼働状況および機能構成により、図４４に示す４ピッチ（４ｐ）は汎用例である。
【００５７】
図４５は、合成レール８６断面図４３の階段コースは平行壁側に、４５度ストレート降下２回目の水平面９０度旋回と、同期３０度降下の螺旋旋回と、３０度ストレート降下の上部と下部は９０度水平旋回同期３０度螺旋旋回１回に、ストレート３０度降下２形式のイメージ説明略図である。
【００５８】
本発明の第６の観点について、図４７により説明する。図４７は、ストレート１列チェイン牽引の頻繁昇降階段の上昇と降下側それぞれ専用１連を同時２連昇降形式の電力節減方式を説明する図である。図３６は、準用の１列チェイン牽引形式の常時上昇と降下専用昇降の２連をモータ共用に、上昇端駆動軸は２連逆回転に歯車介在の２軸とし、降下側従動軸は共用１軸とし、モータ共用にトルクオーバー同期停止とオーバー解除同期昇降形式とし、頻繁昇降の各種安全管理に、２連の中間手摺り面上の中間に半透明の仕切板構成とする、牽引チェイン切断同期モータ安全停止形式とする。
【００５９】
レール磨耗によるローラ間スパン調整に於いて、鍔付ローラはローラ軸の外端にスライド調整可能形式とし、フリー旋回鍔にはネジベース９のネジ操作により、外側微調整に薄肉のカムハウジング３８には貫通孔とせず、Ｍ６のセットボトル固定とする。
【産業上の利用可能性】
【００６０】
本発明の自動昇降ステップシステムは、安全性の高い利用が期待でき、特に、住居対象では足腰の弱い人には、健康管理、住居内各種活動機能の向上と共に、階段の自動昇降安全管理認識の復活と気分転換の場となる。エレベータから離れた各種事務所、作業所の階段苦痛感は解除され、往時の体験技能者の少子化社会の生産性向上に、協力復職志向の復帰対象に期待できる。
【符号の説明】
【００６１】
１、昇降ステップ
２、上昇側ローラ、
３、ブレーキカム
３Ａ、カムサイドローラ
４、降下側ローラ
５、サポート降下側ローラ
６、切断検知器
６Ａ、切断検知ローラ
７、サポート上昇側ローラ
８、サポートレール
９、スパン調整ネジベース  （フリー旋回鍔用）
１０、サポートフレーム
【００６２】
１１、バネ
１２、牽引チェイン
１３，駆動ホイール
１４、テンションホイール
１５、上昇端切断検知機
１６、牽引ブラケット
１７、溝形ガイドレール
１８．搭乗踏面
１９、着脱ガイド
【００６３】
２０、落下物サポートベルト
２１、手繰りスプロケット
２２、手繰り補助ローラ
２２Ａ、送り出しローラ
２４、着脱ベンチ
２５、バネアーム
２６、ローラシャフト
２７、ステップ固定サポートフレーム
２８、壁面
２９、壁側固定ガイドレール
【００６４】
３０、ローラ
３１、ハンドサポータ
３８、カムハウジング
３９、下弦コーナターン
【００６５】
４６、サポートベース踏面
４６Ａ、スライド点踏面
４６Ｂ、踏面サポートベース
４７、上段レール
４８、下段レール
４９、コーナスプロケット
【００６６】
５０、コーナスプロケット
５１、二重軸受
５２、従動ホイール
５３、テークアップ
５４、コーナスプロケット
５５、フリー旋回鍔
５６、降下側旋回ブラケット
５７、上昇側旋回ブラケット
５８、ブレーキモータ
５９、自走駆動チェイン
【００６７】
６０、自走駆動スプロケット
６１、フリー旋回鍔中空軸の位置決めナット
６２、チェインラック
６３、モータ軸スプロケット
６４、フリー旋回鍔中空軸
６４Ａ、フリー旋回鍔位置決めスペーサ
６５、ブラケット旋回鍔
６６、ステップ歩行側固定ローラ
６７、スライドレール部
６８、ガイドレール後端ローラ
６９、カーブドチェイン
【００６８】
７０、サイドローラ
７１、踏面安全折り曲げ面
７３、ステップフレーム
７４、３面アタッチ手摺り
７５、ガイドレール
７６、起動握り
７７、モータ軸駆動スプロケット
７８、ハンド検知ストッパ
【００６９】
８０、ハンド
８１、スイング足掛け
８２、アタッチ連結件手掛け
８３、握り装備ベース
８４、合成ガイドレール
８５、チェインガイドレール
８５Ａレールスパンベース
８６、合成ガイドレール
８７、階段側手繰り
８８、上位階段
８９、蹴り出しスライド踏面
【００７０】
９０、上階フロア
９２、チェイン下部連結ブラケット
９３、上位階段
９４、螺旋階段
９６、ストッパ
９８、カム連動ブラケット旋回停止ストッパ
９９、旋回限定ストッパ
【００７１】
１００、旋回ガイドレール
１０１、下位階段
１０２、下階フロア
１０８、カーブドチェイン旋回半径
１０９、水平屈折面左右１列旋回平面図兼用螺旋階段の左右２列一貫レールラインイメージ兼用説明２点鎖線
１１２、ブレーキ連動カップリング
１１３、壁側２列合成レール
１１３Ａ、階段側２列合成レール
１１４、切断検知チェインアタッチ
１１５、複列アンギュラー玉軸受
１１６、降下側ブラケット旋回ハウジング
１１７、上昇側ブラケット旋回ハウジング
１１９、中空軸サポート軸受
【００７２】
１２０、落下物検知細いワイヤロープ
１２１、ロープ貫通サポータ
１２３、シャッター開放先端コース
１２６、ストレート４５度昇降コース
１２７、ローラ軸センター軸心スイング軸
１２８、スイング軸サポートブラケット
１２９、スライドシャッター
１２９Ａ、１２９Ｂ構成空白面遮蔽板
１２９Ｂ、スライドシャッター開放ローラガイド面
１３０、シャッター全開コースローラ
１３１、スイング軸装備端
１３２、サポータ回避切り欠き
１３３、半透明仕切り板
【図１】
2011057369.tif 000003
【図２】
2011057369.tif 000004
【図３】
2011057369.tif 000005
【図４】
2011057369.tif 000006
【図５】
2011057369.tif 000007
【図６】
2011057369.tif 000008
【図７】
2011057369.tif 000009
【図８】
2011057369.tif 000010
【図９】
2011057369.tif 000011
【図１０】
2011057369.tif 000012
【図１１】
2011057369.tif 000013
【図１２】
2011057369.tif 000014
【図１３】
2011057369.tif 000015
【図１４】
2011057369.tif 000016
【図１５】
2011057369.tif 000017
【図１６】
2011057369.tif 000018
【図１７】
2011057369.tif 000019
【図１８】
2011057369.tif 000020
【図１９】
2011057369.tif 000021
【図２０】
2011057369.tif 000022
【図２１】
2011057369.tif 000023
【図２２】
2011057369.tif 000024
【図２３】
2011057369.tif 000025
【図２４】
2011057369.tif 000026
【図２５】
2011057369.tif 000027
【図２６】
2011057369.tif 000028
【図２７】
2011057369.tif 000029
【図２８】
2011057369.tif 000030
【図２９】
2011057369.tif 000031
【図３０】
2011057369.tif 000032
【図３１】
2011057369.tif 000033
【図３２】
2011057369.tif 000034
【図３３】
2011057369.tif 000035
【図３４】
2011057369.tif 000036
【図３５】
2011057369.tif 000037
【図３６】
2011057369.tif 000038
【図３７】
2011057369.tif 000039
【図３８】
2011057369.tif 000040
【図３９】
2011057369.tif 000041
【図４０】
2011057369.tif 000042
【図４１】
2011057369.tif 000043
【図４２】
2011057369.tif 000044
【図４３】
2011057369.tif 000045
【図４４】
2011057369.tif 000046
【図４５】
2011057369.tif 000047
【図４６】
2011057369.tif 000048
【図４７】
2011057369.tif 000049